(57)【要約】【課題】経時的なフォーカスズレを抑制したプロジェクターを提供する。【解決手段】プロジェクター１は、複数のレンズおよび複数のレンズを収納する収納部を有し、光変調装置にて変調された光を投写する投写レンズ３６と、投写レンズ３６の光軸に交差する左右方向において、収納部の両側に立設する一対の側壁部６３Ｌ，６３Ｒ、および上下方向において、収納部の一方側に形成された第１開口部６３１と、他方側に形成された第２開口部６３２とを有する案内部６３と、第２開口部６３２から空気を取り込むように、収納部の他方側に並設されるシロッコファン５１と、を備える。【選択図】図２
2016139080.tif 000002
【特許請求の範囲】
【請求項１】
光源と、前記光源から射出された光を画像情報に応じて変調する光変調装置と、前記光源および前記光変調装置を収納する外装筐体と、を備えたプロジェクターであって、
複数のレンズおよび前記複数のレンズを収納する収納部を有し、前記光変調装置にて変調された光を投写する投写光学装置と、
前記投写光学装置の光軸に交差する第１方向において、前記収納部の両側に立設する一対の側壁部、および前記第１方向に交差する第２方向において、前記収納部の一方側に形成された第１開口部と、他方側に形成された第２開口部とを有する案内部と、
前記第２開口部から空気を取り込むように、前記収納部の前記他方側に並設されるシロッコファンと、
を備えることを特徴とするプロジェクター。
【請求項２】
請求項１に記載のプロジェクターであって、
前記投写光学装置は、前記収納部内に配置され、遮光により光の通過を制限する絞りを有し、
前記案内部は、前記光軸に沿う方向において、前記絞りを含む当該絞りの光入射側の領域の少なくとも一部の領域に形成されていることを特徴とするプロジェクター。
【請求項３】
請求項１または請求項２に記載のプロジェクターであって、
前記シロッコファンは、空気を取り込む吸入口を有し、前記吸入口が前記第２開口部に対向して配置され、
前記第２開口部は、前記シロッコファンに覆われていることを特徴とするプロジェクター。
【請求項４】
請求項１〜請求項３のいずれか一項に記載のプロジェクターであって、
前記第２開口部の前記光軸に直交する方向の大きさは、前記一対の側壁部の内側に位置する前記投写光学装置の外径より小さいことを特徴とするプロジェクター。
【請求項５】
請求項１〜請求項４のいずれか一項に記載のプロジェクターであって、
前記外装筐体は、当該プロジェクターが設置される設置面に対向する底面を有し、
前記収納部の前記他方側は、前記底面側であることを特徴とするプロジェクター。
【請求項６】
請求項１〜請求項５のいずれか一項に記載のプロジェクターであって、
前記投写光学装置を支持する支持部材を備え、
前記投写光学装置は、前記光軸に沿う方向において、前記収納部の光入射側端部から光射出側に離間する位置に形成されたフランジ部を有し、
前記支持部材は、前記案内部を有し、前記フランジ部の光入射側に取り付けられることを特徴とするプロジェクター。
【請求項７】
請求項１〜請求項６のいずれか一項に記載のプロジェクターであって、
前記シロッコファンは、前記第２開口部から取り込んだ空気を、前記外装筐体内の前記投写光学装置以外の冷却対象に送風することを特徴とするプロジェクター。
【請求項８】
請求項７に記載のプロジェクターであって、
前記光源に電力を供給する電源装置を備え、
前記冷却対象は、前記電源装置であることを特徴とするプロジェクター。
【発明の詳細な説明】
【技術分野】
【０００１】
本発明は、プロジェクターに関する。
【背景技術】
【０００２】
従来、光源と、光源から射出された光を画像情報に応じて変調する光変調装置と、光変調装置で変調された光を投写する投写光学装置とを備えたプロジェクターが知られている。また、複数種類の投写光学装置を交換可能とし、種類に応じて投写光学装置の温度を調整する温度調整手段を備えたプロジェクターが提案されている（例えば、特許文献１参照）。
【０００３】
特許文献１に記載の投射型表示装置（プロジェクター）は、投射レンズ（投写光学装置）と、投射レンズの種類を判別する投射レンズ判別部と、温度調整手段としてのファンと、ファンの動作を制御する制御部と、を有している。そして、ファンは、投射レンズ判別部によって判別された結果に基づいて制御部に駆動され、投射レンズを冷却する。
【先行技術文献】
【特許文献】
【０００４】
【特許文献１】特開２０１３−２４２４９６号公報
【発明の概要】
【発明が解決しようとする課題】
【０００５】
しかしながら特許文献１のプロジェクターは、投射レンズを冷却するためのファンを備える構成のため、製品が大型化することや、ファンの駆動時に騒音が増すという課題があるが、特許文献１には、これらの課題については一切、記載されていない。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源と、前記光源から射出された光を画像情報に応じて変調する光変調装置と、前記光源および前記光変調装置を収納する外装筐体と、を備えたプロジェクターであって、複数のレンズおよび前記複数のレンズを収納する収納部を有し、前記光変調装置にて変調された光を投写する投写光学装置と、前記投写光学装置の光軸に交差する第１方向において、前記収納部の両側に立設する一対の側壁部、および前記第１方向に交差する第２方向において、前記収納部の一方側に形成された第１開口部と、他方側に形成された第２開口部とを有する案内部と、前記第２開口部から空気を取り込むように、前記収納部の前記他方側に並設されるシロッコファンと、を備えることを特徴とする。
【０００８】
この構成によれば、シロッコファンが駆動されると、第１開口部から案内部内に空気が流入し、この空気は、一対の側壁部に案内されて投写光学装置の両側を流通し、第２開口部からシロッコファンに吸入される。これによって、シロッコファンが駆動することにより流通する空気を、効率良く投写光学装置における温度が高くなる部位の近傍に流通させることが可能となる。よって、投写光学装置は、収納部が効率的に冷却されるので、収納部および収納部内の部材等の熱変形が抑えられる。よって、投写光学装置は、レンズの位置ズレが抑制され、フォーカスズレ等の光学性能の劣化が抑制される。
また、シロッコファンは、収納部に並設されるという、投写光学装置の周囲のデッドスペースになりがちなスペースを有効に利用して配置される。
したがって、大型化を抑制して起動直後から長時間の使用に亘って画質の良好な画像の投写が可能なプロジェクターを提供できる。また、投写光学装置に効率的に空気を流通させることが可能なので、シロッコファンの低電圧駆動による騒音の増加を抑制することが可能となる。
【０００９】
［適用例２］上記適用例に係るプロジェクターにおいて、前記投写光学装置は、前記収納部内に配置され、遮光により光の通過を制限する絞りを有し、前記案内部は、前記光軸に沿う方向において、前記絞りを含む当該絞りの光入射側の領域の少なくとも一部の領域に形成されていることが好ましい。
【００１０】
この構成によれば、絞りは遮光により光を制限するので、この絞りおよび絞り近傍の部材は発熱しやすくなるが、案内部によって、この発熱しやすい部位の近傍に空気を流通させることが可能となる。よって、投写光学装置のさらに効率的な冷却が可能となるので、さらに小型のシロッコファンの採用や、さらに低騒音化が可能となる。
【００１１】
［適用例３］上記適用例に係るプロジェクターにおいて、前記シロッコファンは、空気を取り込む吸入口を有し、前記吸入口が前記第２開口部に対向して配置され、前記第２開口部は、前記シロッコファンに覆われていることが好ましい。
【００１２】
この構成によれば、シロッコファンは、吸入口が第２開口部に対向し、この第２開口部を覆うように配置される。これによって、シロッコファンは、第２開口部以外から空気を取り込むことが抑えられるので、シロッコファンが有する吸気性能を効率良く発揮させ、投写光学装置を冷却することが可能となる。案内部とシロッコファンとの間の隙間を詰めることで、効果はより顕著なものとなる。
【００１３】
［適用例４］上記適用例に係るプロジェクターにおいて、前記第２開口部の前記光軸に直交する方向の大きさは、前記一対の側壁部の内側に位置する前記投写光学装置の外径より小さいことが好ましい。
【００１４】
この構成によれば、側壁部に案内されて投写光学装置の両側を流通した空気を狭めて第２開口部に向かうようにすることが可能となる。すなわち、収納部の一方側の第１開口部から流入する空気を収納部の他方側にも回り込ませて流通させることが可能となる。よって、投写光学装置のより大きな領域に空気を流通させることができるので、より効率的に投写光学装置を冷却することが可能となる。
【００１５】
［適用例５］上記適用例に係るプロジェクターにおいて、前記外装筐体は、当該プロジェクターが設置される設置面に対向する底面を有し、前記収納部の前記他方側は、前記底面側であることが好ましい。
【００１６】
この構成によれば、シロッコファンは、投写光学装置の底面側に配置される。これによって、底面側とは反対側にプロジェクターを操作するための入力操作部や、警告表示等の配置自由度を高めることや、プロジェクターの厚みの増加を抑制することが可能となる。また、厚みが厚いシロッコファンを用い、底面側が部分的に突出するように構成された場合であっても、底面は、外部から見えにくいので、製品外観上の見映えやデザイン性を損なうことなく、吸気能力や送風能力の高いシロッコファンを採用することが可能となる。
【００１７】
［適用例６］上記適用例に係るプロジェクターにおいて、前記投写光学装置を支持する支持部材を備え、前記投写光学装置は、前記光軸に沿う方向において、前記収納部の光入射側端部から光射出側に離間する位置に形成されたフランジ部を有し、前記支持部材は、前記案内部を有し、前記フランジ部の光入射側に取り付けられることが好ましい。
【００１８】
この構成によれば、投写光学装置は、フランジ部に支持部材が取り付けられて支持される。フランジ部は、収納部の光入射側端部から光射出側に離間する位置に形成されているので、投写光学装置は、収納部の光入射側端部近傍で支持される構成に比べ、重心に近い位置で支持されることとなる。また、支持部材は、案内部を有し、フランジ部の光入射側に取り付けられるので、投写光学装置におけるフランジ部の光入射側に空気を流通させることができる。よって、重量の重い投写光学装置であっても確実に投写光学装置を支持できるとともに、簡素な構成、および省スペースで案内部を形成し、投写光学装置を冷却可能とする構成が可能となる。
【００１９】
［適用例７］上記適用例に係るプロジェクターにおいて、前記シロッコファンは、前記第２開口部から取り込んだ空気を、前記外装筐体内の前記投写光学装置以外の冷却対象に送風することが好ましい。
【００２０】
この構成によれば、投写光学装置を冷却し、シロッコファンが取り込んだ空気は、投写光学装置以外の冷却対象に送風される。これによって、投写光学装置を冷却した空気を利用して投写光学装置とは異なる冷却対象を冷却できるので、プロジェクターは、部品点数の削減や大型化の抑制が図られつつ、フォーカスズレを抑制した画像を投写すること、および投写光学装置とは異なる冷却対象の性能を維持することが可能となる。
【００２１】
［適用例８］上記適用例に係るプロジェクターにおいて、前記光源に電力を供給する電源装置を備え、前記冷却対象は、前記電源装置であることが好ましい。
【００２２】
この構成によれば、シロッコファンで投写光学装置および光源に電力を供給する電源装置が冷却されるので、プロジェクターは、フォーカスズレを抑制した画像の投写が可能になるとともに、画像の明るさの変動や、意図しない消灯が抑制される。
【図面の簡単な説明】
【００２３】
【図１】本実施形態のプロジェクターの概略構成を示す模式図。
【図２】本実施形態のプロジェクターの断面図。
【図３】本実施形態の投写レンズ、支持部材および光学装置本体を示す斜視図。
【図４】本実施形態の投写レンズ、支持部材およびシロッコファンを分離した斜視図。
【図５】本実施形態の投写レンズ、支持部材およびシロッコファンの断面図。
【図６】本実施形態の支持部材の斜視図。
【図７】本実施形態における第１冷却装置近傍のプロジェクターの内部を下方から見た斜視図。
【発明を実施するための形態】
【００２４】
以下、本施形態に係るプロジェクターについて、図面を参照して説明する。
本実施形態のプロジェクターは、光源から射出された光を画像情報に応じて変調してスクリーン等の投写面に拡大投写する。
【００２５】
〔プロジェクターの主な構成〕
図１は、本実施形態のプロジェクター１の概略構成を示す模式図である。図２は、プロジェクター１の断面図である。
プロジェクター１は、図１、図２に示すように、外装を構成する外装筐体２、制御部（図示省略）、光源装置３１を有する光学ユニット３、光源装置３１や制御部等に電力を供給する電源装置４、および光学ユニット３や電源装置４を冷却する冷却装置５を備える。なお、以下では、説明の便宜上、机上等に載置されたプロジェクター１において、投写面側を＋Ｙ方向（前方向）、後方から見たプロジェクター１の左側を＋Ｘ方向（左方向）、上側を＋Ｚ方向（上方向）として記載する。また、±Ｘ方向（左右方向）は第１方向に相当し、±Ｚ方向（上下方向）は第２方向に相当する。
【００２６】
外装筐体２は、詳細な説明は省略するが、上部を構成する上ケース、下部を構成する下ケース等、複数の部材で構成され、光学ユニット３等を収納する。上ケースには、プロジェクター１を操作するための入力操作部や、警告表示が配置されている（いずれも図示省略）。下ケースは、図２に示すように、プロジェクター１が設置される設置面に対向する底面２Ｄを有し、この底面２Ｄから設置面に当接する脚部２Ｆが突出している。
また、外装筐体２には、外気を取り込む吸気口（図示省略）、および内部の温まった空気を外部に排気する排気口２１等が設けられており、排気口２１は、図２に示すように、外装筐体２の−Ｘ側の側面に形成されている。
【００２７】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や、冷却装置５に備えられたファンの駆動電圧の制御等を行う。
【００２８】
光学ユニット３は、制御部による制御の下、光源装置３１から射出された光を光学的に処理して投写する。
光学ユニット３は、図１に示すように、光源装置３１に加え、インテグレーター照明光学系３２、色分離光学系３３、リレー光学系３４、光学装置３５、投写光学装置としての投写レンズ３６、投写レンズ３６を支持する支持部材６、およびこれらの部材を光路上の所定位置に配置する光学部品用筐体３７を備える。光学ユニット３は、図１に示すように平面視略Ｌ字状に形成され、一方の端部に光源装置３１が着脱可能に配置され、他方の端部に投写レンズ３６が配置される。
【００２９】
光源装置３１は、超高圧水銀ランプやメタルハライドランプ等からなる放電型の光源３１１、リフレクター３１２等を備える。
光源装置３１は、光源３１１から射出された光をリフレクター３１２にて反射し、インテグレーター照明光学系３２に向けて射出する。
【００３０】
インテグレーター照明光学系３２は、第１レンズアレイ３２１、第２レンズアレイ３２２、偏光変換素子３２３、および重畳レンズ３２４を備える。
第１レンズアレイ３２１は、小レンズがマトリクス状に配列された構成を有しており、光源装置３１から射出された光を複数の部分光に分割する。第２レンズアレイ３２２は、第１レンズアレイ３２１と略同様の構成を有しており、重畳レンズ３２４とともに、部分光を後述する光変調装置３５１に略重畳させる。偏光変換素子３２３は、第２レンズアレイ３２２から射出されたランダム光を光変調装置３５１で利用可能な略１種類の偏光光に揃える機能を有している。
【００３１】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３２】
リレー光学系３４は、入射側レンズ３４１、リレーレンズ３４３、および反射ミラー３４２，３４４を備え、色分離光学系３３で分離されたＲ光をＲ光用の光変調装置３５１まで導く機能を有する。なお、光学ユニット３は、リレー光学系３４がＲ光を導く構成としているが、これに限らず、例えば、Ｂ光を導く構成としてもよい。
【００３３】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備える。
各光変調装置３５１は、透過型の液晶パネル、液晶パネルの光入射側に配置された入射側偏光板、および液晶パネルの光射出側に配置された射出側偏光板を備え、各色光を画像情報に応じて変調する。詳細な説明は省略するが、各色光用の液晶パネルおよび射出側偏光板は、保持部材を介してクロスダイクロイックプリズム３５２に取り付けられてクロスダイクロイックプリズム３５２と一体的に組み立てられ、後述する支持部材６に取り付けられる。入射側偏光板は、保持部材を介して光学部品用筐体３７に取り付けられる。一体的に組み立てられたクロスダイクロイックプリズム３５２、各色光用の液晶パネルおよび射出側偏光板を光学装置本体という。
【００３４】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００３５】
投写レンズ３６は、光軸Ａｘに沿って配置される複数のレンズを有して構成され、クロスダイクロイックプリズム３５２から射出された光をスクリーン上に拡大投写する。
図３は、投写レンズ３６、支持部材６および光学装置３５における光学装置本体を示す斜視図である。
投写レンズ３６は、図３に示すように、複数のレンズの中で最も光路後段（最も＋Ｙ側）で、光が射出される側に位置する射出側レンズ３６Ｌｆ、およびフォーカスリング３６２等を備える。
【００３６】
射出側レンズ３６Ｌｆは、短焦点および広角化に寄与するレンズであり、複数のレンズの中で最も外径が大きく形成されている。また、射出側レンズ３６Ｌｆは、下側の端部がカットされたような形状を有し、投写レンズ３６に入射する光は、射出側レンズ３６Ｌｆによって光軸Ａｘよりも＋Ｚ側に傾斜した方向を中心に向かう。そして、プロジェクター１は、投写レンズ３６が短焦点および広角化に寄与する射出側レンズ３６Ｌｆを備える構成により、投写面に近接して配置される近接投写が可能に構成されている。
【００３７】
支持部材６は、図３に示すように、投写レンズ３６、および光学装置３５における光学装置本体を支持し、光学部品用筐体３７（図１参照）に固定される。投写レンズ３６および支持部材６については、後で詳細に説明する。
【００３８】
電源装置４は、図１に示すように、投写レンズ３６の−Ｘ側に配置され、外部の商用電源から供給された交流電力を整流し、光源３１１や制御部等に出力する。
電源装置４は、図２に示すように、電源ブロック４１および光源駆動ブロック４２を有し、電源ブロック４１が光源駆動ブロック４２の上方に積層して配置される。
電源ブロック４１は、外部の商用電源から供給された交流電力を整流し、各種の電圧値の直流電力に変換して光源駆動ブロック４２や制御部等に出力する。
光源駆動ブロックは、電源ブロックから供給される直流電流を整流、変圧して交流矩形波電流を発生させ、光源３１１を駆動する。
【００３９】
冷却装置５は、第１冷却装置５Ａおよび第２冷却装置５Ｂを備える。
第１冷却装置５Ａは、図１、図２に示すように、投写レンズ３６の下方に配置されるシロッコファン５１、およびダクト部材５２を備え、投写レンズ３６および電源装置４を冷却する。
シロッコファン５１は、羽根（図示省略）の回転中心軸５１ｊに沿う方向から取り込んだ空気を回転接線方向に吐出するファンであり、空気を取り込む吸入口５１１、および取り込んだ空気を吐出する吐出口５１２を有している。
【００４０】
第２冷却装置５Ｂは、電源装置４の−Ｘ側に配置された排気ファン５３、および図２に示すように、ダクト部材５４を備え、外装筐体２内の暖まった空気を外装筐体２の排気口２１から外部に排出させる。排気ファン５３は、軸流ファンで構成されている。なお、説明は省略するが、冷却装置５は、第１冷却装置５Ａおよび第２冷却装置５Ｂに加え、外装筐体２の吸気口から外気を取り込む吸気ファンや、取り込んだ空気を光変調装置３５１等に導くダクト部材等を備える。第１冷却装置５Ａについては、後で詳細に説明する。
【００４１】
ここで、投写レンズ３６および支持部材６について、詳細に説明する。
図４は、投写レンズ３６、支持部材６およびシロッコファン５１を分離した斜視図である。図５は、投写レンズ３６、支持部材６およびシロッコファン５１の断面図である。なお、図４、図５は、投写レンズ３６のフォーカスリング３６２を省略した図であり、図５は、投写レンズ３６の射出側レンズ３６Ｌｆ近傍、および複数のレンズの一部を省略した図である。
【００４２】
先ず、投写レンズ３６について説明する。
投写レンズ３６は、複数のレンズ、フォーカスリング３６２に加え、図４、図５に示すように、収納部３６３、カム筒３６４、固定部材３６５、および絞り３６Ｓを備える。
複数のレンズとしては、前述した射出側レンズ３６Ｌｆに加え、図５に示すように、最も光路前段（最も−Ｙ側）で、光が入射する側に位置する入射側レンズ３６Ｌｂ、および図示は省略するが、射出側レンズ３６Ｌｆと入射側レンズ３６Ｌｂとの間に配置された複数のレンズがある。
【００４３】
収納部３６３は、第１収納部材３６３Ａおよび第２収納部材３６３Ｂを備え、それぞれが複数のレンズを収納する。
第１収納部材３６３Ａは、射出側レンズ３６Ｌｆおよび射出側レンズ３６Ｌｆの−Ｙ側（光入射側）に配置される移動可能なレンズを収納する。第１収納部材３６３Ａは、内部に収納するレンズの大きさに応じて外径および内径が光軸Ａｘに沿って異なる筒状に形成されている。
【００４４】
第２収納部材３６３Ｂは、第１収納部材３６３Ａが収納するレンズの−Ｙ側（光入射側）に配置されるレンズを収納する。第２収納部材３６３Ｂは、図５に示すように、第１収納部材３６３Ａの外径より小さな外径の筒状に形成され、＋Ｙ側の端部が第１収納部材３６３Ａの−Ｙ側に挿入される。
【００４５】
カム筒３６４は、射出側レンズ３６Ｌｆの−Ｙ側に配置され、第１収納部材３６３Ａの一部が嵌挿される円筒状に形成されている。カム筒３６４は、第１収納部材３６３Ａに対して回転可能に構成され、このカム筒３６４には、フォーカスリング３６２が取り付けられる。そして、フォーカスリング３６２が回転されると、カム筒３６４も回転し、第１収納部材３６３Ａに収納されている移動可能なレンズが光軸Ａｘに沿って移動し、フォーカスが調整される。なお、本実施形態のプロジェクター１のズーム調整は、画像処理で画像の拡大、縮小を行う電子ズームであり、外装筐体２の天面に配置された入力操作部（図示省略）やプロジェクター１を遠隔操作するためのリモートコントローラー（リモコン）の操作によって行われる。
【００４６】
固定部材３６５は、支持部材６と接続されるフランジ部３６５Ｆを有し、図４、図５に示すように、カム筒３６４の−Ｙ側に配置され、第１収納部材３６３Ａに取り付けられる。
固定部材３６５は、フランジ部３６５Ｆに加え、フランジ部３６５Ｆの＋Ｙ側に形成された円筒部３６５Ａ、およびフランジ部３６５Ｆの−Ｙ側に形成された円筒部３６５Ｂを有し、中央には、第１収納部材３６３Ａが挿入される挿通孔が形成されている。
【００４７】
フランジ部３６５Ｆは、光軸Ａｘに沿う方向において固定部材３６５の略中央、すなわち、光軸Ａｘに沿う方向において、収納部３６３（第２収納部材３６３Ｂ）の光入射側端部から光射出側に離間する位置に設けられ、平面視矩形状に形成されている。また、フランジ部３６５Ｆの四隅には、ネジ穴が形成されている。
投写レンズ３６は、固定部材３６５が第１収納部材３６３Ａに固定されると、第１収納部材３６３Ａの−Ｙ側端部近傍、および第２収納部材３６３Ｂの第１収納部材３６３Ａに挿入されない部位が露出する。
【００４８】
絞り３６Ｓは、中央に開口部を有する板材で形成されており、図５に示すように、第１収納部材３６３Ａ内に配置され、遮光により光の通過を制限する。すなわち、絞り３６Ｓは、クロスダイクロイックプリズム３５２から射出された光の周辺光線の射出角度や方向を調整し、投写される画像の高コントラスト化に寄与する。
【００４９】
次に、支持部材６について説明する。
図６は、支持部材６の斜視図であり、（ａ）は上方斜めから見た図、（ｂ）は下方斜めから見た図である。
支持部材６は、図４、図６に示すように、＋Ｙ側に位置するレンズ取付部６１、−Ｙ側に位置する光学装置取付部６２、およびレンズ取付部６１と光学装置取付部６２との間に設けられた案内部６３を有している。
【００５０】
レンズ取付部６１は、投写レンズ３６が取り付けられる部位であり、平面視における外形がフランジ部３６５Ｆの外形と略同じ形状に形成されており、中央には、固定部材３６５における円筒部３６５Ｂが挿通される挿通孔６１１が形成され、四隅には、フランジ部３６５Ｆのネジ穴に対応するネジ挿通孔が形成されている。支持部材６は、レンズ取付部６１のネジ挿通孔から挿通されたネジがフランジ部３６５Ｆのネジ穴に螺合されて投写レンズ３６に取り付けられる。このように、支持部材６は、フランジ部３６５Ｆの光入射側に取り付けられる。
【００５１】
光学装置取付部６２は、光軸Ａｘに沿う方向から見て、左右両側がレンズ取付部６１より飛び出す突出部６２１を有し、中央には、投写レンズ３６の第２収納部材３６３Ｂが挿通される挿通孔６２２が形成されている。また、光学装置取付部６２には、挿通孔６２２の周囲に光学装置３５を取り付けるための複数のネジ穴が形成され、突出部６２１には、複数のネジ挿通孔が形成されている。
投写レンズ３６を支持する支持部材６は、突出部６２１のネジ挿通孔から挿通されたネジが光学部品用筐体３７のネジ穴（図示省略）に螺合されて、光学部品用筐体３７に取り付けられる。
【００５２】
案内部６３は、シロッコファン５１の駆動によって流通する空気を案内する機能を有している。案内部６３は、図３に示すように、第２収納部材３６３Ｂの外側でレンズ取付部６１と光学装置取付部６２とを繋ぐように形成されている。具体的に、案内部６３は、左右方向（第１方向）において、第２収納部材３６３Ｂの両側に立設する一対の側壁部６３Ｌ，６３Ｒ、および、図６（ｂ）に示すように、側壁部６３Ｌの下方の縁部と側壁部６３Ｒの下方の縁部とを繋ぎ、第２収納部材３６３Ｂの下側に立設する底壁部６３Ｄを有している。
【００５３】
側壁部６３Ｌ，６３Ｒは、第２収納部材３６３Ｂから離間し、上端が第２収納部材３６３Ｂより上方に延出している。そして、案内部６３の上側には、図３に示すように、側壁部６３Ｌと側壁部６３Ｒとの間が開口する第１開口部６３１が形成され、図６（ｂ）に示すように、底壁部６３Ｄには、第２開口部６３２が形成されている。シロッコファン５１は、図２に示すように、吸入口５１１がこの第２開口部６３２に対向して配置される。
【００５４】
案内部６３は、光軸Ａｘに沿う方向において、絞り３６Ｓを含む絞り３６Ｓの光入射側の領域の少なくとも一部の領域に形成されている。具体的に、本実施形態の案内部６３は、図５に示すように、光軸Ａｘに沿う方向において、絞り３６Ｓと入射側レンズ３６Ｌｂとの間に形成されている。より具体的に、案内部６３は、側壁部６３Ｌ，６３Ｒが第２収納部材３６３Ｂにおける絞り３６Ｓと入射側レンズ３６Ｌｂとの間に配置されるレンズを収納する部位の両側に立設する。換言すると、案内部６３は、側壁部６３Ｌ，６３Ｒが±Ｘ方向（第１方向）から見て、投写レンズ３６の複数のレンズが収納される領域の少なくとも一部と重なるように形成される。
【００５５】
このように、案内部６３は、光軸Ａｘに交差する左右方向（第１方向）において、収納部３６３の両側に立設する一対の側壁部６３Ｌ，６３Ｒ、および左右方向（第１方向）に交差する上下方向（第２方向）において、収納部３６３の一方側に形成された第１開口部６３１と、他方側に形成された第２開口部６３２とを有している。
【００５６】
また、第２開口部６３２は、光軸Ａｘに沿う方向が左右方向（第１方向）より長い長孔で、シロッコファン５１に覆われる大きさに形成されている。また、図２に示すように、第２開口部６３２の光軸Ａｘに直交する方向（第１方向）の大きさ（内径Ｌ１）は、側壁部６３Ｌ，６３Ｒの内側に位置する第２収納部材３６３Ｂの外径Ｌ２より小さく形成されている。
【００５７】
次に、第１冷却装置５Ａについて、詳細に説明する。
前述したように、第１冷却装置５Ａは、シロッコファン５１、およびダクト部材５２を備える。
図７は、第１冷却装置５Ａ近傍のプロジェクター１の内部を下方から見た斜視図である。
シロッコファン５１は、前述したように、吸入口５１１が支持部材６の第２開口部６３２に対向し（図２参照）、図７に示すように、吐出口５１２が電源装置４側を向くように配置される。このように、シロッコファン５１は、上下方向（第２方向）において、収納部３６３に対し、第１開口部６３１が形成された一方側とは反対側となる他方側に並設され、第２開口部６３２から空気を取り込むように配置される。また、シロッコファン５１は、収納部３６３に対し、底面２Ｄ側に配置されることになり、案内部６３との隙間が詰められ、第２開口部６３２を覆うように配置される。
【００５８】
ダクト部材５２は、図７に示すように、シロッコファン５１の吐出口５１２と電源装置４との間に形成されている。ダクト部材５２は、シロッコファン５１の吐出口５１２から吐出された空気を、第１流路５２Ａと第２流路５２Ｂとに分岐させる分岐壁５２１が形成されている。
ダクト部材５２は、図２に示すように、第１流路５２Ａが電源ブロック４１の＋Ｘ側に立ち上がるように形成され、図示は省略するが、第２流路５２Ｂが光源駆動ブロック４２の＋Ｘ側に立ち上がるように形成されている。
【００５９】
シロッコファン５１が駆動されると、図２に示すように、第１開口部６３１から案内部６３内に空気が流入し、この空気は、側壁部６３Ｌ，６３Ｒに案内されて第２収納部材３６３Ｂの両側、および第１収納部材３６３Ａの−Ｙ側端部近傍を流通し、第２開口部６３２からシロッコファン５１に吸入される。シロッコファン５１は、案内部６３との隙間が詰められ、第２開口部６３２を覆うように配置されているので、第２開口部６３２以外から空気を取り込むことが抑えられる。
【００６０】
また、第２開口部６３２の左右方向（第１方向）における内径Ｌ１は、側壁部６３Ｌ，６３Ｒの内側に位置する第２収納部材３６３Ｂの外径Ｌ２より小さく形成されているので、第２収納部材３６３Ｂの両側を流通した空気は、第２開口部６３２に向かって狭められてシロッコファン５１に吸入される。すなわち、第２収納部材３６３Ｂの一方側の第１開口部６３１から流入する空気は、第２収納部材３６３Ｂの他方側にも回り込んで第２収納部材３６３Ｂを冷却することとなる。
【００６１】
シロッコファン５１に取り込まれた空気は、図２に示すように、吐出口５１２から吐出され、ダクト部材５２に導かれ、第１流路５２Ａおよび第２流路５２Ｂを流通する。そして、第１流路５２Ａを流通した空気は、電源ブロック４１を冷却し、第２流路５２Ｂを流通した空気は、光源駆動ブロック４２を冷却する。
電源ブロック４１および光源駆動ブロック４２を冷却した空気は、排気ファン５３の駆動によりダクト部材５４に導かれ、排気口２１から外部に排出される。
【００６２】
以上説明したように、本実施形態のプロジェクター１によれば、以下の効果を得ることができる。
（１）投写レンズ３６は、収納部３６３が効率的に冷却されるので、収納部３６３および収納部３６３内の部材等の熱変形が抑えられる。よって、投写レンズ３６は、レンズの位置ズレが抑制され、フォーカスズレ等の光学性能の劣化が抑制される。また、シロッコファン５１は、収納部３６３に並設されるという、投写レンズ３６の周囲のデッドスペースになりがちなスペースを有効に利用して配置される。
したがって、大型化を抑制して起動直後から長時間の使用に亘って画質の良好な画像の投写が可能なプロジェクター１を提供できる。また、投写レンズ３６に効率的に空気を流通させることが可能なので、シロッコファン５１の低電圧駆動による騒音の増加を抑制することが可能となる。
【００６３】
（２）絞り３６Ｓは遮光により光を制限するので、この絞り３６Ｓおよび絞り３６Ｓ近傍の部材は発熱しやすくなるが、案内部６３は、光軸Ａｘに沿う方向において、絞り３６Ｓと入射側レンズ３６Ｌｂとの間に形成されているので、この発熱しやすい部位の近傍に空気を流通させることが可能となる。よって、投写レンズ３６のさらに効率的な冷却が可能となるので、さらに小型のシロッコファン５１の採用や、さらに低騒音化が可能となる。
【００６４】
（３）シロッコファン５１は、吸入口５１１が第２開口部６３２に対向し、この第２開口部６３２を覆うように配置される。これによって、シロッコファン５１は、第２開口部６３２以外から空気を取り込むことが抑えられるので、シロッコファン５１が有する吸気性能を効率良く発揮させ、投写レンズ３６を冷却することが可能となる。また、シロッコファン５１は、案内部６３との隙間が詰められて配置されているので、効果はより顕著なものとなる。
【００６５】
（４）第２開口部６３２の第１方向における内径Ｌ１は、側壁部６３Ｌ，６３Ｒの内側に位置する第２収納部材３６３Ｂの外径Ｌ２より小さく形成され、第２収納部材３６３Ｂの一方側から流入する空気が他方側にも回り込んで流通する。これによって、第２収納部材３６３Ｂの外面のより大きな領域に空気を流通させることができるので、より効率的に投写レンズ３６を冷却することが可能となる。
【００６６】
（５）シロッコファン５１は、投写レンズ３６の底面２Ｄ側に配置される。これによって、底面２Ｄ側とは反対側に入力操作部や、警告表示の配置自由度を高めることや、プロジェクター１の厚みの増加を抑制することが可能となる。また、厚みが厚いシロッコファン５１を用い、底面２Ｄ側が部分的に突出するように構成された場合であっても、底面２Ｄは、外部から見えにくいので、製品外観上の見映えやデザイン性を損なうことなく、吸気能力や送風能力の高いシロッコファン５１を採用することが可能となる。
【００６７】
（６）投写レンズ３６は、収納部３６３の光入射側端部から光射出側に離間する位置に形成されたフランジ部３６５Ｆに支持部材６が取り付けられ、この支持部材６を介して光学部品用筐体３７に固定される。これによって、投写レンズ３６は、収納部３６３の光入射側端部近傍で支持される構成に比べ、重心に近い位置で支持されることとなる。また、支持部材６は、案内部６３を有しているので、投写レンズ３６におけるフランジ部３６５Ｆの光入射側に空気を流通させることができる。よって、短焦点に寄与する射出側レンズ３６Ｌｆを備え、重量の重い投写レンズ３６であっても確実に投写レンズ３６を支持できるとともに、簡素な構成、および省スペースで案内部６３を形成し、投写レンズ３６を冷却可能とする構成が可能となる。
【００６８】
（７）シロッコファン５１は、第２開口部６３２から取り込んだ空気を電源装置４に送風する。これによって、投写レンズ３６を冷却した空気を利用して電源装置４を冷却できるので、プロジェクター１は、部品点数の削減や大型化の抑制が図られつつ、フォーカスズレを抑制した画像の投写が可能になるとともに、画像の明るさの変動や、意図しない消灯が抑制される。
【００６９】
（変形例）
なお、前記実施形態は、以下のように変更してもよい。
前記実施形態の案内部６３は、光軸Ａｘに沿う方向において、絞り３６Ｓと入射側レンズ３６Ｌｂとの間に形成されているが、絞りを含む領域に形成してもよい。
【００７０】
第１収納部材３６３Ａと第２収納部材３６３Ｂとを一体的に形成してもよい。また、固定部材３６５を第１収納部材３６３Ａと一体的に形成してもよい。
【００７１】
前記実施形態の投写レンズ３６および案内部６３は、側壁部６３Ｌ，６３Ｒと収納部３６３との間に空気を流通させるように構成されているが、収納部の外側に投写レンズにおける他の部材（例えば、カム筒等）が配置され、一対の側壁部とこの他の部材との間に空気が流通するように投写レンズおよび案内部を構成してもよい。
【００７２】
前記実施形態の案内部６３は、左右方向を第１方向、上下方向を第２方向として形成されているが、これ以外の方向を第１方向、第２方向として案内部を形成してもよい。例えば、上下方向を第１方向、左右方向を第２方向として案内部を形成し、左右方向において、シロッコファンが収納部に並設されるように構成してもよい。また、左右方向に対して傾斜する方向を第１方向とし、この第１方向に交差する方向を第２方向として案内部を形成し、シロッコファンがこの第２方向において収納部に並設されるように構成してもよい。
【００７３】
第１開口部６３１を複数の孔で形成してもよい。また、シロッコファン５１に覆われる大きさであれば、第２開口部６３２を複数の孔で形成してもよい。
【００７４】
前記実施形態では、短焦点に寄与する射出側レンズ３６Ｌｆを備えた投写レンズ３６を例示したが、長焦点に寄与するレンズや、短焦点と長焦点との間の焦点距離を有するレンズを備えた投写レンズにも適用できる。
また、前記実施形態のプロジェクター１は、ズーム調整を電子ズームで行うように構成されているが、光学的にズーム調整可能とするレンズを備えた投写レンズにも適用できる。
【００７５】
前記実施形態の投写レンズ３６は、フランジ部３６５Ｆが収納部３６３の光入射側端部から離間した位置に形成され、案内部６３がフランジ部３６５Ｆの光入射側に設けられているが、フランジ部が光入射側の端部近傍に形成され、案内部がフランジ部の光射出側に設けられるように構成してもよい。
【００７６】
収納部３６３や案内部６３をアルミニウム等の金属材で形成し、放熱効果を高めるように構成してもよい。
【００７７】
前記実施形態では、シロッコファン５１が第２開口部６３２から取り込んだ空気を電源装置４に送風するように構成されているが、シロッコファン５１が取り込んだ空気を外装筐体２内の電源装置４以外の冷却対象（例えば、光源装置３１や、光学部品等）に送風するように構成してもよい。
【００７８】
投写レンズ３６あるいは投写レンズ３６近傍の温度を検出する温度検出部を備え、制御部が温度検出部の検出結果に基づいてシロッコファン５１の駆動電圧を制御するように構成してもよい。
【００７９】
前記実施形態のプロジェクター１は、光変調装置３５１として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００８０】
前記実施形態の光変調装置３５１は、Ｒ光、Ｇ光、およびＢ光に対応する３つの光変調装置３５１Ｒ，３５１Ｂ，３５１Ｂを用いる、いわゆる３板方式を採用しているが、これに限らず、単板方式を採用してもよく、あるいは、２つまたは４つ以上の光変調装置を備えるプロジェクターにも適用できる。
【００８１】
光源装置３１は、放電型の光源３１１を用いたものに限らず、その他の方式の光源や発光ダイオード、レーザー等の固体光源で構成してもよい。
【符号の説明】
【００８２】
１…プロジェクター、２…外装筐体、２Ｄ…底面、３…光学ユニット、４…電源装置、５…冷却装置、５Ａ…第１冷却装置、５Ｂ…第２冷却装置、６…支持部材、３１…光源装置、３６…投写レンズ、３６Ｌｂ…入射側レンズ、３６Ｌｆ…射出側レンズ、４１…電源ブロック、４２…光源駆動ブロック、５１…シロッコファン、６１…レンズ取付部、６２…光学装置取付部、６３…案内部、６３Ｄ…底壁部、６３Ｌ，６３Ｒ…側壁部、３１１…光源、３５１，３５１Ｂ，３５１Ｇ，３５１Ｒ…光変調装置、３６３…収納部、３６３Ａ…第１収納部材、３６３Ｂ…第２収納部材、３６４…カム筒、３６５…固定部材、５１１…吸入口、５１２…吐出口、６３１…第１開口部、６３２…第２開口部。
【図１】
2016139080.tif 000003
【図２】
2016139080.tif 000004
【図３】
2016139080.tif 000005
【図４】
2016139080.tif 000006
【図５】
2016139080.tif 000007
【図６】
2016139080.tif 000008
【図７】
2016139080.tif 000009